(57)【要約】【課題】一の番組を視聴しながら他の番組を録画することが可能な情報処理装置を提供すること。【解決手段】チューナ１１、１２と、受信側の時刻を管理するためのＳＴＣカウンタＭ２９、Ｒ３１と、受信パケットに付加されているＰＣＲとＳＴＣカウンタＭ２９、Ｒ３１のカウント値ＳＴＣに基づき、送信側と同期が取れるよう、チューナ１１、１２より受信した受信データをそれぞれ再生及び記録するための再生クロックＭ及び記録クロックＲを制御する同期制御部とを有する。【選択図】図１
2008118291.tif 000002
【特許請求の範囲】
【請求項１】
２以上のチューナと、
受信側の時刻を管理するための再生用カウンタ及び記録用カウンタと、
前記受信パケットに付加されている時刻情報と前記再生用カウンタ又は記録用カウンタのカウント値に基づき送信側と同期が取れるよう、前記チューナより受信した受信データをそれぞれ再生及び記録するための再生クロック及び記録クロックを制御する同期制御部とを有する情報処理装置。
【請求項２】
前記再生用クロック及び記録用クロックのカウント値をそれぞれ第１及び第２のカウント値として記憶する再生用レジスタ及び記録用レジスタを前記チューナ毎に備えたストリームコントローラを有し、
前記同期制御部は、前記再生用カウンタ及び記録用カウンタが出力するカウント値を第３及び第４のカウント値としたとき、当該第３及び第４のカウント値を、それぞれ前記第１及び第２のカウント値で遅延調整し、この遅延調整した第３及び第４のカウント値と前記時刻情報とに基づき前記再生クロック及び記録クロックを制御する
ことを特徴とする請求項１記載の情報処理装置。
【請求項３】
前記時刻情報が付加された受信パケットを始めて受信した場合、当該受信パケットが到着した時刻における前記第１及び第２のカウント値で当該時刻情報を遅延調整し、この遅延調整した時刻情報により前記再生用カウンタ及び記録用カウンタの初期値をセットする
ことを特徴とする請求項２記載の情報処理装置。
【請求項４】
前記再生用クロック又は記録用クロックのカウント値を第５のカウント値として記憶する一のレジスタを前記チューナ毎に備えたストリームコントローラを有し、
前記ストリームコントローラは、前記レジスタに記憶された前記第５のカウント値を受信パケットにタイムスタンプとして打刻し、
前記同期制御部は、前記再生用カウンタ及び記録用カウンタが出力するカウント値をそれぞれ第３及び第４のカウント値としたとき、当該第３及び第４のカウント値を前記タイムスタンプで遅延調整し、この遅延調整した第３及び第４のカウント値と前記時刻情報とに基づき前記再生クロック及び記録クロックを制御する
ことを特徴とする請求項１記載の情報処理装置。
【請求項５】
前記時刻情報が付加された受信パケットを始めて受信した場合、当該受信パケットが到着した時刻における前記第５のカウント値で当該時刻情報を遅延調整し、この遅延調整した時刻情報により前記再生用カウンタ及び記録用カウンタの初期値をセットする
ことを特徴とする請求項４記載の情報処理装置。
【発明の詳細な説明】
【技術分野】
【０００１】
本発明は、チューナからデータを受信して視聴・録画するための情報処理装置に関する。
【背景技術】
【０００２】
伝送されてきたＭＰＥＧ（Moving Picture Experts Group）トランスポートストリーム（ＴＳ）をリアルタイムで再生する場合、受信側では、送信側のクロックと同期する基準クロックに基づいて同期を確立し、各種の再生処理を実行する。この場合、受信側には、自分の時計を送信側の時計に合わせるための同期システムが必要となる。
【０００３】
一方、記録媒体に記録されている、例えば、ＭＰＥＧ  ＴＳまたはＭＰＥＧプログラムストリーム（ＰＳ）を再生する場合は、再生の際、通常、水晶発振器により発生された周波数固定の基準クロックに基づいて同期を確立し、各種の再生処理を実行する。この場合、再生には、自己完結した同期システムが必要となる。
【０００４】
ところで、このような、伝送系同期システムを利用した再生（伝送系再生）と蓄積系同期システムを利用した再生（蓄積系再生）の両方を行うことができる再生装置には、通常、伝送系同期システムと蓄積系同期システムがそれぞれ独立して用意されている。しかしこのような場合、伝送系再生から蓄積系再生にまたは蓄積系再生から伝送系再生に再生モードが切り替わると、同期システムも切り替わる。よってその遷移時に同期が乱れ、再生画像が乱れる問題があった。そこで、特許文献１には、再生モードが切り替わるとき、再生画像が乱れないようにすることができる記録再生装置が開示されている。
【０００５】
図２０は、特許文献１に記載の記録再生装置を示す図である。図２０に示すように、ＢＳ／ＣＳデジタルチューナ１０１は、放送衛星（Broadcasting Satellite）または通信衛星（Communications Satellite）を介して伝送されてきたデジタルテレビジョン放送を受信して復調し、選局されたチャンネルの、ＭＰＥＧ２の規格に準拠して符号化されたＭＰＥＧ  ＴＳをセレクタ１０５に供給する。地上波デジタルチューナ１０２は、受信した地上波を復調し、選局されたチャンネルのＭＰＥＧ  ＴＳをセレクタ１０５に供給する。イーサネット（登録商標）／無線ＬＡＮインタフェース１０３は、イーサネット（登録商標）または無線ＬＡＮから受信したＭＰＥＧ  ＴＳを、セレクタ１０５に供給する。IEEE1394インタフェース１０４は、IEEE1394のネットワークを介して受信したＭＰＥＧ  ＴＳをセレクタ１０５に供給する。
【０００６】
セレクタ１０５は、ＭＰＥＧ  ＴＳが図示せぬ記録媒体に記録される場合、記録されるＭＰＥＧ  ＴＳを選択して、バッファコントローラ１０６に供給する。また、ＭＰＥＧ  ＴＳをリアルタイムで再生する場合（伝送系再生する場合）、再生されるＭＰＥＧ  ＴＳを選択して、デマルチプレクサ１０８に供給する。また、セレクタ１０５は、記録媒体に記録されたＭＰＥＧ  ＴＳ等を蓄積系再生する場合、バッファコントローラ１０６から供給されるＭＰＥＧ  ＴＳをデマルチプレクサ１０８に供給する。
【０００７】
バッファコントローラ１０６は、記録時において、セレクタ１０５から入力されるＭＰＥＧ  ＴＳを、記録媒体に対応する転送レート、タイミングでストレージデバイス１０７に出力し、その記録媒体に記録させる。また、再生時において、ストレージデバイス１０７により記録媒体から読み出されて供給されたＭＰＥＧ  ＴＳをセレクタ１０５に供給する。
【０００８】
デマルチプレクサ１０８は、セレクタ１０５から供給されたＭＰＥＧ  ＴＳから、ＰＥＳ（Packetized Elementary Stream）パケットを抽出し、ＭＰＥＧ  ＡＶデコーダ１０９に供給する。また、ＭＰＥＧ  ＴＳから、ＰＣＲ（Program Clock Reference：プログラム時刻基準参照値）を抽出し、ＰＬＬ（Phase Lock Loop）回路１１３に供給する。
【０００９】
ＭＰＥＧ  ＡＶデコーダ１０９は、同期信号発生回路１１７から供給される同期信号を利用してフレーム同期を確立し、デマルチプレクサ１０８から入力されたＰＥＳパケットから、映像エレメンタリストリームと音声エレメンタリストリームを生成する。また、映像エレメンタリストリームをＰＬＬ回路１１５から供給されるビデオ信号処理用のクロックに従って復号し、その結果得られた映像データをポスト映像信号処理回路１１０に供給する。さらに、音声エレメンタリストリームを、ＰＬＬ回路１１６から供給されるオーディオ信号処理用のクロックに従って復号し、その結果得られた音声データをＤ／Ａ変換回路１１２に供給する。
【００１０】
ポスト映像信号処理回路１１０は、同期信号発生回路１１７から供給される同期信号を利用してフレーム同期を確立し、ＭＰＥＧ  ＡＶデコーダ９から入力された映像データに対するデジタル的なエフェクト処理やノイズフィルタ処理等を、ＰＬＬ回路１１５から供給されるビデオ信号処理用のクロックに従って行う。そして各種処理を施して得られた信号を、Ｄ／Ａ変換回路１１１に供給する。
【００１１】
Ｄ／Ａ変換回路１１１は、同期信号発生回路１１７から供給される同期信号を利用して同期を確立し、ＰＬＬ回路１１５から供給されるビデオ信号処理用のクロックに従って、入力されたデジタル映像信号（デジタルコンポーネント信号）をＤ／Ａ変換し、その結果得られたアナログコンポーネット映像信号を外部の装置に出力する。また、ＰＬＬ回路１１６から供給されるオーディオ信号処理用のクロックに従って、ＭＰＥＧ  ＡＶデコーダ１０９から入力されたデジタル音声信号をアナログステレオ音声信号に変換し、外部の装置に出力する。
【００１２】
ＰＬＬ回路１１３は、ＢＳ／ＣＳデジタルチューナ１０１乃至IEEE1394インタフェース１０４から入力されるＭＰＥＧ  ＴＳが伝送系再生されるとき、デマルチプレクサ１０８から供給されるＰＣＲに基づいて、内蔵するＶＣＸＯ（voltage Control Crystal）１２５のクロックにＰＬＬをかけ、ＭＰＥＧ  ＴＳの符号化時のクロック（２７ＭＨｚ）と同期するクロックを生成し、それを基準クロックとして、ＭＰＥＧ  ＡＶデコーダ１０９、ＰＬＬ回路１１５、及びＰＬＬ回路１１６のそれぞれに供給する。ＰＬＬ回路１１３はまた、記録媒体に記録されているＭＰＥＧ  ＴＳが再生されるとき、すなわち蓄積系再生が行われるとき、ＶＣＸＯ１２５のデフォルトの周波数のクロックをそのまま基準クロックとして、ＭＰＥＧ  ＡＶデコーダ１０９、ＰＬＬ回路１１５、及びＰＬＬ回路１１６のそれぞれに供給する。このＰＬＬ回路１１３の基準クロックの切り換え処理は、システムコントローラ１１４により制御される。
【００１３】
システムコントローラ１１４は、ＰＬＬ回路１１３の他、記録再生装置の全体を制御する。
【００１４】
ＰＬＬ回路１１５は、ＰＬＬ回路１１３から供給された基準クロックにＰＬＬで同期化して必要なクロックを生成し、それをビデオ信号処理用のクロックとして、ＭＰＥＧ  ＡＶデコーダ１０９、ポスト映像信号処理回路１１０、Ｄ／Ａ変換回路１１１、および同期信号発生回路１１７のそれぞれに、所定のタイミングで供給する。
【００１５】
ＰＬＬ回路１１６は、ＰＬＬ回路１１３から供給された基準クロックにＰＬＬで同期化して、必要なクロックを生成し、それをオーディオ信号処理用のクロックとして、ＭＰＥＧ  ＡＶデコーダ１０９及びＤ／Ａ変換回路１１２のそれぞれに、所定のタイミングで供給する。
【００１６】
同期信号発生器１１７は、ＰＬＬ回路１１５から供給されたクロックを用いて、自走周期で同期信号を生成し、ＭＰＥＧ  ＡＶデコーダ１０９、ポスト映像信号処理回路１１０、およびＤ／Ａ変換回路１１１のそれぞれに、所定のタイミングで供給する。
【００１７】
この従来の記録再生装置では、伝送系再生および蓄積系再生における基準クロックが、いずれの場合においても１つのＶＣＸＯのクロックから生成されているので、再生モードが切り替わるときでも、基準クロックと同期信号の連続性が保たれる。その結果、乱れのない画像を表示することができる。
【特許文献１】特開２００３−２４４６９７号公報
【発明の開示】
【発明が解決しようとする課題】
【００１８】
しかしながら、従来の再生記録装置では番組Ａを視聴しながら別の番組Ｂを記録するといった、いわゆる裏番組の記録ができない。従来の再生記録装置では基準クロックは１つしかなく、基準クロックは視聴対象ストリーム（番組Ａ）の送信側と同期を合わせている。視聴対象ストリームに含まれるＰＣＲ（送信側が符号化した時の時間情報）とＰＬＬ回路内のＳＴＣの比較結果からＶＣＸＯを調整して送信側と同期のとれた基準クロックを出力し、ＳＴＣは最終的に視聴対象ストリームに含まれるＰＣＲとほぼ等しくなる。
【００１９】
もし記録対象ストリーム（番組Ｂ）の送信側とも同期を合わせようとすると記録対象ストリームに含まれるＰＣＲとＳＴＣとの比較結果からＶＣＸＯを調整して記録対象ストリームの送信側と同期をとる。しかし、この結果、本来同期がとれていたはずの視聴対象ストリームの送信側と同期がとれなくなり、また視聴対象ストリームの送信側と同期をとろうとすると今度は記録対象ストリームの送信側と同期がとれなくなる。結局、視聴、記録両方の送信側と同期がとれなくなり、同期システムが破綻し、視聴の際にはデコーダバッファでのオーバーフロー、アンダーフローの発生による画像の乱れが発生し、記録では、記録したストリームを他機で再生した場合に、同期がとれていないために画像の乱れが起きる可能性が存在する。
【００２０】
このため、視聴を行う場合は視聴対象ストリーム（番組Ａ）の送信側と同期をとるために基準クロックを占有して使用せねばならず、記録対象ストリーム（番組Ｂ）は同期をとることができないために記録ができない。
【課題を解決するための手段】
【００２１】
本発明に係る情報処理装置は、２以上のチューナと、受信側の時刻を管理するための再生用カウンタ及び記録用カウンタと、前記受信パケットに付加されている時刻情報と前記再生用カウンタ又は記録用カウンタのカウント値に基づき送信側と同期が取れるよう、前記チューナより受信した受信データをそれぞれ再生及び記録するための再生クロック及び記録クロックを制御する同期制御部とを有するものである。
【００２２】
本発明においては、再生用カウンタと記録用カウンタとを有し、再生クロック及び記録クロックを独立して制御するため、再生するストリームと記録するストリームとを独立して同期をとることができる。
【発明の効果】
【００２３】
本発明によれば、一の番組を視聴しながら他の番組を録画することが可能な情報処理装置を提供することができる。
【発明を実施するための最良の形態】
【００２４】
以下、本発明を適用した具体的な実施の形態について、図面を参照しながら詳細に説明する。この実施の形態は、本発明を、視聴（再生）しながら別の番組の記録（録画）を同時に行なったり、視聴対象又は記録対象を切り替えたりすることができる情報処理装置（記録再生装置）に適用したものである。
【００２５】
実施の形態１．
図１は本発明の実施の形態にかかる情報処理装置を示す図である。図１に示すように、情報処理装置１は、チューナ１１、１２、ストリームコントローラ２１、ローカルバッファ２４、デマックス２５、パルス幅変調（Pulse Width Modulation：ＰＷＭ）回路２７、電圧制御水晶発振器（Voltage Controlled Xtal Oscillator：ＶＣＸＯ）２８、ＳＴＣ（System Time Clock）カウンタＭ２９、ＳＴＣカウンタＲ３１、リニアカウンタＭ３０、Ｒ３２、レコードバッファ４１、及びＡＶデコーダ４２を有する。
【００２６】
ストリームコントローラ２１は、ラッチド・リニアカウンタ・Ｒレジスタ２２、ラッチド・リニアカウンタ・Ｍレジスタ２３を有する。ラッチド・リニアカウンタ・Ｒレジスタ２２、ラッチド・リニアカウンタ・Ｍレジスタ２３はパケットが到着した時の各リニアカウンタＭ３０、Ｒ３２のカウント値をラッチしておくレジスタである。ラッチド・リニアカウンタＭレジスタ２２又はラッチド・リニアカウンタＲレジスタ２３のどちらかのデータ（リニアカウンタのカウント値）がストリームコントローラによってタイムスタンプとしてパケットに打刻される。そしてストリームコントローラ２１は、タイム打刻した受信データをローカルバッファ２４に入力する。
【００２７】
図２は、ローカルバッファ２４を示す模式図である。図２に示すように、ローカルバッファ２４は、所定の領域に区切られ、複数のバッファから構成される。通常は、１つのチューナに対し１つのバッファが割り当てられる。なお、基本的には空いているいずれかのバッファが割り当てられる。バッファはさらに細かい領域に区切られており、当該領域にＴＳパケットが保持される。この領域はＴＳパケットと同一サイズより大きいサイズになっており、ＴＳパケットに対し各ＴＳパケットに対するタイムスタンプなど様々な管理情報が付け加えられて保存される。
【００２８】
図１に戻って、リニアカウンタＭ／Ｒは、クロックＭ／Ｒのサイクルの数をカウントする。リニアカウンタＭ３０のカウント値（第３のカウント値）、リニアカウンタＭ３２のＲ３２のカウント値（第４のカウント値）により、後述するＰＣＲの遅延調整を行なう。
【００２９】
ＳＴＣカウンタＭ２９、ＳＴＣカウンタＲ３１は、受信側の時刻を管理するためのカウンタで、９０ＫＨｚカウンタと２７ＭＨｚカウンタとで構成される。９０ＫＨｚカウンタは２７ＭＨｚカウンタが３００カウントするたびにカウントアップしていくカウンタで、ＳＴＣカウンタは９０ＫＨｚカウンタのカウント値と２７ＭＨｚカウンタのカウント値を３００で割った余りを、それぞれＳＴＣＭ（第１のカウント値）、ＳＴＣＲ（第２のカウント値）として出力する。
【００３０】
ＰＷＭ回路２７は、ＳＴＣカウント値とＰＣＲを比較して、その比較結果をもとに出力する電圧を制御する。ＰＣＲは、一部のＴＳパケットのアダプテーションフィールドに含まれる情報で、そのＴＳパケットの相対的な送信時刻の情報を示す。例えばＳＴＣがＰＣＲに比べて大きい値の場合は、受信側のクロックは送信側のクロックに比べて早く進んでいることを意味する。同期をとるためには、受信側のクロックを遅くするために電圧を下げたり、クロックを早くするために電圧を上げたりし、後段のＶＣＸＯに電圧を出力する。ＰＷＭ回路２７により、パケットに付加されているＰＣＲとＳＴＣカウンタＭ３０、ＳＴＣカウンタＲ３２のカウント値ＳＴＣとに基づき送信側と同期が取れるよう再生クロックＭ及び記録クロックＲを制御する同期制御部が構成される。
【００３１】
ＶＣＸＯ２８は、電圧によって周波数を可変することができる、水晶振動子を共振器として使用した電圧制御可変発振器（Voltage Controlled Oscillator：ＶＣＯ）である。本実施の形態にかかるＶＣＸＯ２８は、ＰＷＭ回路２７から送られてきた電圧をもとにして、２７ＭＨｚの再生クロックＭ及び記録クロックＲを出力する再生用及び記録用のＶＣＸＯを有する。クロックＭを視聴用、クロックＲを記録用とし、視聴と記録とを排他的に独立して同期をとることで、視聴しながら別の番組を録画することを可能とする。
【００３２】
レコードバッファ４１は、記録データのバッファであり、記録データをバッファリングする。
【００３３】
デマックス２５は、ローカルバッファ２４に保持されたデータの解析、分離、同期等の処理を行なう。また、リニアカウンタＭ３０／Ｒ３２のカウント値を使用してＰＣＲの遅延調整のための遅延計算を行なう。遅延計算についての詳細は後述する。このデマックスの処理は、デマックスの機能を受け持つＣＰＵ（Central Processing Unit）により実行される。
【００３４】
チューナ１１、チューナ１２は地上波デジタル、ＢＳ／ＣＳ放送衛星、又は通信衛星から送られてくるデジタル放送等を受信する。受信したパケットデータはストリームコントローラ２１によってローカルバッファ２４に供給される。ローカルバッファ２４に保持されたパケットデータはデマックス２５にて解析・分離化・同期化等の処理をされ、ＡＶデコーダ４２に送られる。
【００３５】
デマックス２５からＡＶデコーダ４２に送られたデータのうち、映像データはビデオデコーダへ、音声データはオーディオデコーダへ送られる。ビデオデコーダ、オーディオデコーダはクロックＭを見てタイミングを計りながらデコードを行う。また、パケットデータを記録する場合は、パケットデータはレコードバッファ４１に送られ、その後に図示せぬＨＤＤ（Hard Disk Drive）、ＤＶＤ（Digital Versatile Disc）などのストレージデバイスへ送られる。
【００３６】
このため、ＡＶデコーダ４２にはクロックＭが供給される。本実施の形態においては、ＡＶデコーダ４２は常にクロックＭを見ながらデコードするタイミングを計っており、クロックＭに替えてクロックＲでデコードタイミングを計ることはない。クロックを変更すると、切り替えの間はタイミングをとることができず、デコードが適切にできなくなる可能性があるからである。
【００３７】
ＳＴＣカウンタＭ２９、ＳＴＣカウンタＲ３１、リニアカウンタＭ３０、リニアカウンタＲ３２、ラッチド・リニアカウンタ・Ｒレジスタ２２、ラッチド・リニアカウンタ・Ｍレジスタ２３、ＰＷＭ回路２６、ＶＣＸＯ２７は送信側と同期をとるために使われるＨ／Ｗである。
【００３８】
送受信機の同期システムは、送信局側がパケット中に符号時の時間情報をＰＣＲとして挿入し、受信側は受信機内にあるＳＴＣとＰＣＲを比較して、その比較結果から基準クロックを調整して同期をとるように規格で定められている。
【００３９】
次に、本情報処理装置において同期をとる方法について説明する。図３は、本実施の形態にかかる情報処理装置１における同期をとる方法を示すフローチャートである。また、図４は、遅延時間を説明する模式図である。ここでは、説明の簡略化のため、チューナ１１により受信したデータを、ＳＴＣカウンタＭ２９、リニアカウンタＭ３０を使用して同期をとって視聴する方法について説明する。チューナ１１により受信されたパケットはストリームコントローラ２１によって視聴用のリニアカウンタＭ３０のカウント値がパケット到着時のタイムスタンプとして打刻されてローカルバッファ２４に保持される。デマックス２５は、パケット中にＰＣＲが含まれているか調べ、最初に検出したＰＣＲをＰＣＲレジスタ２６に保持すると共にＳＴＣカウンタＭ２９に送る。ＳＴＣカウンタＭ２９は、このＰＣＲを初期値としてロードする。ここで、ＰＣＲが到着してからＰＣＲを検出するまでに遅延が生じているので遅延を考慮したＰＣＲ、すなわち遅延調整したＰＣＲをＳＴＣカウンタ２９にロードしなければならない。この遅延調整するための遅延時間Ｔ１は下記式（１）から計算される。
【００４０】
[遅延時間Ｔ１]＝ＰＣＲロード直前に取得したリニアカウンタカウント値−ラッチド・リニアカウンタから取得したパケット到着時リニアカウンタカウント値・・・（１）
【００４１】
図４に示すように、ＰＣＲが付されたパケット到着タイミングをｔ１、ＰＣＲの存在を確認したタイミングをｔ２、その直後のリニアカウンタＭ３０のカウント値を取得したタイミングをｔ３とすると、ＰＣＲをＳＴＣカウンタＭ２９にロードする時点でｔ３−ｔ１の遅延時間Ｔ１が生じる。そこで、デマックス２５は、ラッチド・リニアカウンタＭレジスタ２３に保持されているパケット到着タイミングｔ１のリニアカウンタＭ３０のカウント値を取得し（ステップＳ１）、ＰＣＲレジスタ２６に保持されているＰＣＲを取得し（ステップＳ２）、更にＳＴＣカウンタＭ２９のカウント値を取得する（ステップＳ３）。
【００４２】
ここで、取得したＰＣＲが最初のＰＣＲであるので（ステップＳ４：Ｙｅｓ）、上述の遅延時間Ｔ１を計算する。そして、（ＰＣＲ＋遅延時間Ｔ１）を初期値としてＳＴＣカウンタＭ２９にロードする。
【００４３】
ＰＣＲロード以降は、ＰＣＲを検出したらＳＴＣカウンタＭ２９のカウント値とＰＣＲとをＰＷＭ回路２７で比較することになる。ここで、上記と同じくＰＣＲを含むパケットが到着してからＰＣＲを検出するまでの時間（遅延）を考慮して、すなわちＰＣＲと、遅延調整されたＳＴＣとで比較を行なわなければならない。この遅延調整のための遅延時間Ｔ２は下記式（２）から計算される。
【００４４】
[遅延時間Ｔ２]＝ＳＴＣカウント値を取得する直前に取得したリニアカウンタカウント値−ラッチド・リニアカウンタから取得したパケット到着時リニアカウンタカウント値・・・（２）
【００４５】
上述と同じく、図４に示すように、タイミングｔ３に取得したリニアカウンタＭ３０のカウント値からＰＣＲが付されたパケット到着タイミングｔ１のリニアカウンタＭ３０のカウント値を引いた値が遅延時間Ｔ２である。
【００４６】
デマックス２５が、ラッチド・リニアカウンタＭレジスタ２３に保持されているパケット到着タイミングｔ１のリニアカウンタＭ３０のカウント値を取得し（ステップＳ１）、ＰＣＲレジスタ２６に保持されているＰＣＲを取得し（ステップＳ２）、更にＳＴＣカウンタＭ２９のカウント値を取得する（ステップＳ３）。そして、ステップＳ７に進み、遅延時間Ｔ２を計算し、ステップＳ３で読み出したＳＴＣカウンタＭのカウント値をＳＴＣＭとすると、ＳＴＣＭ−遅延時間Ｔ２を、ＰＣＲと共にＰＷＭ回路２７へ送る（ステップＳ８）。ＰＷＭ回路２７は、ＰＣＲと遅延調整されたＳＴＣ（ＳＴＣＭ−遅延時間Ｔ２）とを比較し、この比較結果に基づきＶＣＸＯ２７の電圧を調整する。これにより、クロックＭの調整を行って送信側と同期をとることができる。
【００４７】
図５は、番組Ａを視聴しつつ、番組Ｂを記録する場合の処理経路を示す図である。視聴（再生）用クロックＭと記録用クロックＲの２つのクロックを有するので異なる入力に対し各クロックＭ／Ｒを同期させることができる。送信側と同期のとれた番組ＡのパケットをＡＶデコーダ４２へ送る経路と、送信側と同期のとれた番組Ｂのパケットをレコードバッファ４１へ送る経路とを独立させることができ、従来の情報処理装置において行なうことができなかった、同時に視聴及び記録動作が可能となっている。
【００４８】
本実施の形態においては、２つのクロックを視聴用又は記録用専用に使用することで視聴と記録を排他的に独立して同期をとることができるため、視聴しながら別の番組を録画することができる。
【００４９】
実施の形態２．
次に本発明の実施の形態２について説明する。本実施の形態は、回路規模縮小のために、ストリームコントロール内のラッチド・リニアカウンタを１つだけとした装置である。実施の形態１においては、各チューナに対応して、視聴用のラッチド・リニアカウンタＭレジスタと、記録用のラッチド・リニアカウンタＲレジスタが設けられていたが、本実施の形態においては、各チューナ毎に、視聴・記録で共通のラッチド・リニアカウンタレジスタを設けることとする。このことにより、ラッチド・リニアカウンタレジスタが半減して回路規模が縮小される。
【００５０】
図６は、本実施の形態にかかる情報処理装置を示す図である。図６に示すように、本実施の形態にかかる情報処理装置５１は、ラッチド・リニアカウンタ・レジスタ５２及びセレクタ５３を有する。ストリームコントローラ２１の指示に従い、セレクタ５３がリニアカウンタＭ３０又はリニアカウンタＲ３２のいずれかを選択し、ラッチド・リニアカウンタ・レジスタ５２は、セレクタ５３が選択したカウンタ値（第５のカウンタ値）をラッチする。そして、ラッチド・リニアカウンタ・レジスタ５２に保持されたデータ（リニアカウンタＭ３０又はリニアカウンタＲ３２のカウント値）がストリームコントローラ２１によってタイムスタンプとしてパケットに打刻される。その他の点は図１に示す情報処理装置１と同様の構成を有する。
【００５１】
本情報処理装置５１において同期をとる方法について説明する。図７は、本実施の形態にかかる情報処理装置における同期を取る方法を示すフローチャートである。ここでは、説明の簡単のため、チューナ１１により受信したデータを、ＳＴＣカウンタＭ２９、リニアカウンタＭ３０を使用して同期をとって視聴する方法について説明する。チューナ１１から入力されたパケットはストリームコントローラ２１によってリニアカウンタＭ３０のカウント値がパケット到着時のタイムスタンプとして打刻され、ローカルバッファ２４に保持される。
【００５２】
デマックス２５は、パケット中にＰＣＲが含まれているか調べ、最初に検出したＰＣＲをＰＣＲレジスタ２６に保持すると共にＳＴＣカウンタＭ２９に送る。ＳＴＣカウンタＭ２９は、このＰＣＲを初期値としてロードする。ここで、ＰＣＲが到着してからＰＣＲを検出するまでに遅延が生じているので遅延を考慮し、遅延調整したＰＣＲをＳＴＣカウンタＭ２９にロードしなければならない。この遅延調整のための遅延時間Ｔ３は下記式（３）から計算される。
【００５３】
[遅延時間Ｔ３]＝ＰＣＲロード直前に取得したリニアカウンタカウント値−タイムスタンプ・・・（３）
【００５４】
すなわち、デマックス２５は、ＰＣＲが含まれているパケットに打刻されたタイムスタンプを取得し（ステップＳ１１）、ＰＣＲレジスタ２６に保持されているＰＣＲを取得し（ステップＳ１２）、更にＳＴＣカウンタＭ２９のカウント値を取得する（ステップＳ１３）。
【００５５】
ここで、取得したＰＣＲが最初のＰＣＲであるので（ステップＳ１４：Ｙｅｓ）、遅延時間Ｔ３を計算する。そして、（ＰＣＲ＋遅延時間Ｔ３）をＳＴＣカウンタＭ２９にロードする。
【００５６】
ＰＣＲロード以降は、ＰＣＲを検出したらＳＴＣカウンタＭ２９のカウント値とＰＣＲとをＰＷＭ回路２７で比較することになる。ここで、上記と同じくＰＣＲを含むパケットが到着してからＰＣＲを検出するまでの時間（遅延）を考慮し、遅延調整したＳＴＣとの比較を行なわなければならない。この遅延調整のための遅延時間Ｔ４は下記式（４）から計算される。
【００５７】
[遅延時間Ｔ４]＝ＳＴＣカウント値を取得する直前に取得したリニアカウンタカウント値−タイムスタンプ・・・（４）
【００５８】
上述と同じく、デマックス２５が、ＰＣＲが含まれているパケットに打刻されたタイムスタンプを取得し（ステップＳ１１）、ＰＣＲレジスタ２６に保持されているＰＣＲを取得し（ステップＳ１２）、更にＳＴＣカウンタＭ２９のカウント値（ＳＴＣＭ）を取得する（ステップＳ１３）。そして、ステップＳ１７に進み、遅延時間Ｔ４を計算し、ステップＳ１３で読み出したカウント値ＳＴＣＭから、ＳＴＣＭ−遅延時間Ｔ３を求め、この遅延調整されたＳＴＣをＰＣＲと共にＰＷＭ回路２７へ送る（ステップＳ８）。ＰＷＭ回路２７は、ＰＣＲと遅延調整されたＳＴＣ（ＳＴＣＭ−遅延時間Ｔ３）とを比較し、この比較結果に基づきＶＣＸＯ２７の電圧を調整する。これにより、クロックＭの調整を行って送信側と同期をとることができる。
【００５９】
ところで、本実施の形態にかかる情報処理装置５１においては、ラッチド・リニアカウンタ・レジスタが、記録と視聴で共通であるため、リニアカウンタＭ３０のカウント値又はリニアカウンタＲ３２のカウント値のいずれか一方しか保持しておくことができない。このため、リニアカウンタＭ３０又はリニアカウンタＲ３２のいずれかのカウント値しかパケット到着時間情報＝タイムスタンプとして残しておくことができない。
【００６０】
すなわち、ラッチド・リニアカウンタ・レジスタが２つあればリニアカウンタＲ、リニアカウンタＭ両方のカウント値を残しておくことができ、いずれか一方を選択してタイムスタンプとしてパケットに打刻できる。これに対し、本実施の形態の如く、ラッチド・リニアカウンタ・レジスタが１つしかない場合は、カウント値は１つしか残せないので、どちらのカウント値を打刻する選択することはできず、セレクタ５３にて選択されているカウント値がタイムスタンプとなる。ここで、予めリニアカウンタＭ３０、リニアカウンタＲ３２のいずれのカウント値を残せばよいのかを判断する必要がある。図８は、いずれのカウント値を残せばよいかを示す図である。
【００６１】
図８は、例えばチューナ１１より番組Ａを受信し、チューナ１２より番組Ｂを受信した場合についてを示している。図８に示すように、基本的にリニアカウンタＭ３０は視聴用、リニアカウンタＲ３２は記録用であるが、１つの番組を視聴すると共に記録する場合は、記録用のリニアカウンタＲ３２のカウント値を残す。よって、この場合、視聴の際にもリニアカウンタＲ３２のカウント値がタイム打刻されたデータを使用することとなる。
【００６２】
次に、視聴、記録、視聴＋記録の際に、ラッチド・リニアカウンタ・レジスタ５２に保持されるデータについて詳細に説明する。上述したように、受信側が送信側と同期をとるために、ＳＴＣのカウント値とＰＣＲの比較を行い、その比較結果からＶＣＸＯの振幅を調整して、クロックＭ／Ｒを調整する。比較に使うＳＴＣのカウント値は、ＰＣＲを含むパケットが受信側に到着したときのＳＴＣのカウント値を使用する。しかし、実際には上述のように遅延時間がある。
【００６３】
上述したように、遅延時間はＳＴＣカウント値を取得する時のリニアカウンタのカウント値からパケット到着時のリニアカウンタのカウント値を差し引くことで求める。受信側が送信側と同期をとる際のポイントとして
・タイムスタンプはリニアカウンタＲ、リニアカウンタＭどちらかのカウント値を使用
・ＳＴＣとＰＣＲの比較を行い、その比較結果をもとにクロックを調整する
・ＳＴＣは遅延時間を差し引く必要がある
【００６４】
以上３点のポイントから、視聴のみの場合は視聴同期経路（クロックＭ）に対し同期をとればよいのでリニアカウンタＭ３０をタイムスタンプ打刻に使用する。すなわち、セレクタ５３は、リニアカウンタＭ３０を選択し、ラッチド・リニアカウンタ・レジスタ５２は、リニアカウンタＭ３０のカウント値をラッチする。
【００６５】
記録のみの場合は記録同期経路（クロックＲ）に対し同期をとればよいのでリニアカウンタＲ３２をタイムスタンプ打刻に使用する。すなわち、セレクタ５３は、リニアカウンタＲ３２を選択し、ラッチド・リニアカウンタ・レジスタ５２は、リニアカウンタＲ３２のカウント値をラッチする。
【００６６】
そして、番組Ａを視聴＋記録する場合、クロックＭ、クロックＲ両方を番組Ａの送信側と同期させる必要がある。同期させるにあたって、遅延時間を求めなければならないが、チューナ１つに対しリニアカウンタのカウント値は１つしかラッチしておけないため、リニアカウンタＲ３２又はリニアカウンタＭ３０のどちらかのカウント値を使って計算しなければならない。
【００６７】
例えばリニアカウンタＲ３２を使って遅延時間を求めた場合は、クロックＲの同期はもちろん、クロックＭの同期にもこの遅延時間を使用することになる。ここで、視聴、記録ともに対象としている番組が同じである場合には、リニアカウンタＭ３０を使った場合の遅延時間との誤差が小さいことから、リニアカウンタＲ３２を使用してクロックＭの同期を制御することが許されている。
【００６８】
そして、記録をする場合には記録対象の番組の送信側と同期のとれたタイムスタンプを継続的に打刻する必要がある。この条件を満たすにはリニアカウンタＲ３２を使う必要がある。したがって、番組Ａを視聴すると共に記録する場合は、図８に示すように、リニアカウンタＲ３２のカウント値を使用しなければならない。
【００６９】
視聴、録画、番組の変更に応じて、切り換え動作には様々なパターンがある。上述したように、本実施の形態においては、ラッチド・リニアカウンタ・レジスタ５２が各チューナに対し、視聴・記録で共通の１つしか設けられていない。このことから、所定の切り換え処理には、このラッチド・リニアカウンタ・レジスタ５２にラッチするカウント値をリニアカウンタＭ３０、Ｒ３２のいずれかに切り替える処理を要する。次に、この切り替え処理について詳細に説明する。
【００７０】
視聴、記録、視聴＋記録をしている場合に、視聴対象、あるいは記録対象を切替えても、視聴、記録ともに正常に動作させるために、視聴対象又は記録対象を切替える際、タイムスタンプ打刻に使用するリニアカウンタを切り替える必要がある場合がある。その場合、ローカルバッファ内のパケットが切り替わり後のリニアカウンタでタイムスタンプ打刻されたパケットのみとなるまでは一切の同期処理を行わない切り換え処理が必要となる。
【００７１】
以下の説明においては、チューナを１つ又は２つ使用して、記録、視聴を切り替える動作のうち代表的な動作について説明する。また、本実施の形態にかかる情報処理装置においては、２番組同時の視聴又は記録はしないものとする。さらに、チューナ１１から番組Ａを受信し、チューナ１２から番組Ｂを受信することとする。
【００７２】
先ず、上記切り換え処理が必要ない場合について説明する。ユーザが番組Ａを視聴＋記録していて、切り替え指示により、番組Ａは記録したまま視聴対象を番組Ｂに切り替える場合について説明する。図９、図１０は、切り替え前後の情報処理装置の処理経路を示す図であって、図９は、番組Ａを視聴及び記録している状態、図１０は番組Ａを記録、番組Ｂを視聴している状態を示す。
【００７３】
この場合、視聴は新たに番組ＢとクロックＭで同期をとり、記録は引き続き番組Ａを記録することになる。記録処理では番組Ａと同期のとれたタイムスタンプを打刻する必要があり、さらにタイムスタンプの連続性を維持するために記録の途中でタイムスタンプ打刻時に参照されるリニアカウンタを変更してはならない。そのため、上述したように番組Ａの視聴＋記録時にはタイムスタンプ打刻にはリニアカウンタＲを使用する必要がある（図９参照）。
【００７４】
そして、視聴対象を番組Ｂに切り替えた後は、図１０に示すように、引き続き番組Ａを記録し、同期したタイムスタンプを打刻するための経路の他に、新たに番組Ｂを視聴するために同期を行う経路が追加される。この切り替え処理は、チューナ１２により受信した番組Ｂについて、チューナ１２に対応するラッチド・リニアカウンタ・レジスタ５２にラッチされたリニアカウンタＲ３２のカウント値をタイムスタンプ打刻すればよく、切り替え処理において何ら問題はない。
【００７５】
次に、上記切り換え処理が必要な場合について、代表的な切り換え動作を例にとって説明する。先ず、番組Ａを視聴していて、切り替え指示により番組Ａを記録する場合について説明する。図１１、図１２は、切り替え前後の情報処理装置の処理経路を示す図である。図１１に示すように、最初番組Ａを視聴している場合は、リニアカウンタＭ３０のカウント値でタイム打刻する。次に、これを切り替え、番組Ａを記録する場合は、リニアカウンタＲ３２のカウント値でタイム打刻することになる。
【００７６】
ここで、パケットは放送局から一定の間隔で送られてくるのだが、デマックス２５が解析・分離化する速度と同期はとれておらず、そのためにローカルバッファ２４は、図１３に示すように、一時的に例えば１０個など、任意の数だけのパケットを保持することができるようになっている。
【００７７】
切り替え前に送られてきたパケットについてはリニアカウンタＭ３０のカウント値がタイムスタンプとして打刻されているのだが、切り替え後にパケットと同期をとる処理を行う場合、図１４に示すように、切り替え指示後のパケット６２のタイムスタンプは、リニアカウンタＲ３２のカウント値となっているが、切り替え指示前のパケット６１のタイムスタンプはリニアカウンタＲ３２のカウント値ではなく、リニアカウンタＭ３０のカウント値がタイム打刻されていることになる。
【００７８】
デマックス２５は、（ＳＴＣカウント値を取得する直前に取得したリニアカウンタのカウント値−タイムスタンプ）により遅延時間Ｔ４を計算する。ここで、切り替え指示後のパケット６１については、ＳＴＣカウント値を取得する直前に取得したリニアカウンタのカウント値はリニアカウンタＲ３２のカウント値となり、一方、タイムスタンプは、リニアカウンタＲ３２ではなく、リニアカウンタＭ３０のカウント値となる。よって、遅延計算において異なるリニアカウンタのカウント値を使用することになり、遅延時間を狂わせてしまう可能性がある。そうなると図１５に示すように、ＰＣＲとＳＴＣの比較結果が狂ってしまい同期をとれなくなる可能性が発生する。すなわち、パケット６１については、タイムスタンプがリニアカウンタＭ３０のカウント値となっているため、本来の遅延時間Δｔ２ではなく不正な遅延時間Δｔ３となってしまう。
【００７９】
そこで、デマックス２５は、図１６に示すように、切り替え時点からパケットが新たに送られてきてローカルバッファ２４にはリニアカウンタＲ３２のカウント値を打刻されたパケット６２のみ存在するようになってから、同期をとるための処理を実行するようにする。これにより、ＳＴＣカウント値を取得する直前に取得したカウント値のリニアカウンタと、タイムスタンプのカウント値を取得したリニアカウンタとが同一となり、本来の遅延時間Δ１やΔ２とすることができる。
【００８０】
ここで、本ケースにおいては、チューナ１１から番組Ａを視聴し、切り替え指示により、記録する場合として説明したが、番組Ａの視聴時にチューナ１２により番組Ｂを受信して記録したり、切り替え後にチューナ１２により番組Ｂを受信して視聴する場合も同様の操作となる。なお、切り替え動作には、遷移状態がありその遷移状態によっては、上記切り替え処理が不要な場合がある。例えば、番組Ａを視聴していて、切り替え指示により番組Ａを記録かつ番組Ｂを視聴する場合、基本的には上述と同様の処理が必要となる。すなわち、番組Ａの視聴→番組Ａの視聴＋記録→番組Ａの記録＋番組Ｂの視聴のような遷移をする場合には上記の切り替え処理が必要となる。これに対し、番組Ａの視聴→番組Ｂの視聴→番組Ａの記録＋番組Ｂの視聴のような遷移をする場合には、すなわち、番組Ａの視聴→番組Ａの記録、という切り替えがない場合は上記切り替え処理が不要となる。
【００８１】
次に、番組Ａを視聴していて、切り替え指示により、番組Ａを視聴＋記録する場合について説明する。なお、ここでは、本ケースと上述の番組Ａの視聴から記録の切り換え動作を分けて説明するが、番組Ａの視聴→番組Ａの記録の遷移は、番組Ａの視聴→番組Ａの視聴＋記録→番組Ａの記録とする場合と同様の動作である。図１７は、切り替え後の情報処理装置の処理経路を示す図である。記録している途中で視聴を止める、あるいは視聴対象を切替える場合でも記録処理では番組Ａと同期のとれたタイムスタンプを打刻する必要があり、さらにタイムスタンプの連続性を維持する必要があるためタイムスタンプ打刻に使用するリニアカウンタをリニアカウンタＭ３０からリニアカウンタＲ３２へと切り替えねばならない。
【００８２】
この場合も上述と同様に、ローカルバッファ２４に保持されたパケットのタイムスタンプが切り替え指示前後でリニアカウンタＭ３０のカウント値からリニアカウンタＲ３２のカウント値に変更になるため、同様に不正な遅延時間を算出してしまう。よって、上述と同様、切り替え時後、パケットが新たに送られてきてローカルバッファ２４にリニアカウンタＲ３２のカウント値を打刻されたパケットのみ存在するようになってから、視聴及び記録の同期をとるための処理を実行するようにする。
【００８３】
この処理は、番組Ａを視聴＋記録していて、切り替え指示により、番組Ａの記録を停止し視聴のみをする場合も同様である。切り替え前は、リニアカウンタＲ３２のカウント値がタイムスタンプとしてタイム打刻され、切り替え後はリニアカウンタＭ３０のカウント値がタイムスタンプとしてタイム打刻されるので、ローカルバッファ２４内のパケットが入れ替わってから同期を取る処理を行なう。
【００８４】
次に、ユーザが番組Ａを視聴＋記録していて、切り替え指示により、番組Ａを視聴、番組Ｂを記録する場合について説明する。図１８は、切り替え後の情報処理装置の処理経路を示す図である。切り替え前は、図９に示すように、リニアカウンタＲ３２のカウント値がタイム打刻されている。切り替え指示後も、番組Ａを引き続き視聴するために同期をとる必要があるのだが、リニアカウンタＲ３２は新たに番組Ｂを録画するための同期経路で使用されるため、図１８に示すように、番組Ａを視聴するための同期経路でタイムスタンプ打刻に使用するリニアカウンタをリニアカウンタＲ３２からリニアカウンタＭ３０に切り替えなければならない。
【００８５】
この場合も上述と同様に、ローカルバッファ２４に保持されたパケットのタイムスタンプが切り替え指示前後でリニアカウンタＲ３２のカウント値からリニアカウンタＭ３０のカウント値に変更になるため、同様に不正な遅延時間を算出してしまう。よって、上述と同様、切り替え時後、パケットが新たに送られてきてローカルバッファ２４にリニアカウンタＭ３０のカウント値を打刻されたパケットのみ存在するようになってから、視聴の同期をとるための処理を実行するようにする。また、番組Ａを視聴、番組Ｂを記録していて、番組Ａを視聴＋記録する場合も同様である。
【００８６】
次に、ユーザが番組Ａを視聴、番組Ｂを記録していて、切り替え指示により、番組Ａを記録、番組Ｂを視聴する場合について説明する。図１９は、切り替え後の情報処理装置の処理経路を示す図である。切り替え前後で、チューナ１１、チューナ１２にそれぞれ対応するローカルバッファ２４に保持されたパケットのタイムスタンプについて、リニアカウンタが変更になるため、上述と同じく切り替え指示により新たにローカルバッファ２４に送られてくるパケットのみが存在するようになってから、それぞれ番組Ａの記録、番組Ｂの視聴を行うようにする。
【００８７】
本実施の形態においては、２つのクロックを視聴用、記録用と専用に用いることで視聴と記録を排他的に独立して同期をとることができるため、視聴しながら別の番組を録画することができる。さらに、チューナ毎に１つのラッチド・リニアカウンタ・レジスタ５２を設けることで、回路規模を削減することができる。また、切り替え処理後に、タイムスタンプに使用するリニアカウンタが変更なる場合には、ローカルバッファ２４に保持されるパケットが入れ替わってから同期処理を行なう切り替え処理を行なうことで、正確な遅延時間のままとすることができ、視聴と記録を同時動作させている場合に、視聴対象、あるいは記録対象を切替えても、視聴、記録ともに正常に動作させることができる。
【００８８】
なお、本発明は上述した実施の形態のみに限定されるものではなく、本発明の要旨を逸脱しない範囲において種々の変更が可能であることは勿論である。例えば、上述の実施の形態では、ハードウェアの構成として説明したが、これに限定されるものではなく、任意の処理を、ＣＰＵ（CentrAl Processing Unit）にコンピュータプログラムを実行させることにより実現することも可能である。この場合、コンピュータプログラムは、記録媒体に記録して提供することも可能であり、また、インターネットその他の伝送媒体を介して伝送することにより提供することも可能である。
【図面の簡単な説明】
【００８９】
【図１】本発明の実施の形態１にかかる情報処理装置を示す図である。
【図２】ローカルバッファを示す模式図である。
【図３】本発明の実施の形態１にかかる情報処理装置における同期をとる方法を示すフローチャートである。また、
【図４】遅延時間Ｔ１、Ｔ２を説明する模式図である。
【図５】番組Ａを視聴しつつ、番組Ｂを記録する場合の処理経路を示す図である。
【図６】本発明の実施の形態２にかかる情報処理装置を示す図である。
【図７】本発明の実施の形態２にかかる情報処理装置における同期を取る方法を示すフローチャートである。
【図８】視聴、記録時において、リニアカウンタＭ／Ｒのいずれのカウント値を残せばよいかを示す図である。
【図９】切り替え前後の情報処理装置の処理経路を示す図であって、番組Ａを視聴及び記録している状態を示す図である。
【図１０】切り替え前後の情報処理装置の処理経路を示す図であって、番組Ａを記録、番組Ｂを視聴している状態を示す図である。
【図１１】切り替え前の情報処理装置の処理経路を示す図である。
【図１２】切り替え後の情報処理装置の処理経路を示す図である。
【図１３】ローカルバッファを示す模式図である。
【図１４】切り替え指示時のローカルバッファを示す模式図である。
【図１５】リニアカウンタＭ／Ｒのカウント値と遅延時間との関係を説明する図である。
【図１６】切り替え処理時のローカルバッファを示す模式図である。
【図１７】切り替え後の情報処理装置の処理経路を示す図である。
【図１８】切り替え後の情報処理装置の処理経路を示す図である。
【図１９】切り替え後の情報処理装置の処理経路を示す図である。
【図２０】特許文献１に記載の記録再生装置を示す図である。
【符号の説明】
【００９０】
１１、１２  チューナ
２１  ストリームコントローラ
２２  ラッチド・リニアカウンタ・Ｒレジスタ
２３  レジスタ・リニアカウンタ・Ｍレジスタ
２４  ローカルバッファ
２５  デマックス
２６  ＰＣＲレジスタ
２７  ＰＷＭ回路
２９  ＳＴＣカウンタＭ
３０  リニアカウンタＭ
３１  ＳＴＣカウンタＲ
３２  リニアカウンタＲ
４１  レコードバッファ
４２  ＡＶデコーダ
４３  デコーダバッファ
５２  ラッチド・リニアカウンタ・レジスタ
５３  セレクタ
６１、６２  パケット
６２  パケット
【図１】
2008118291.tif 000003
【図２】
2008118291.tif 000004
【図３】
2008118291.tif 000005
【図４】
2008118291.tif 000006
【図５】
2008118291.tif 000007
【図６】
2008118291.tif 000008
【図７】
2008118291.tif 000009
【図８】
2008118291.tif 000010
【図９】
2008118291.tif 000011
【図１０】
2008118291.tif 000012
【図１１】
2008118291.tif 000013
【図１２】
2008118291.tif 000014
【図１３】
2008118291.tif 000015
【図１４】
2008118291.tif 000016
【図１５】
2008118291.tif 000017
【図１６】
2008118291.tif 000018
【図１７】
2008118291.tif 000019
【図１８】
2008118291.tif 000020
【図１９】
2008118291.tif 000021
【図２０】
2008118291.tif 000022